(57)【要約】【課題】建具の防火性能を向上させることにある。【解決手段】室内外を仕切る開口に備えられ、ラッチを有する開閉可能な戸体と、前記ラッチを受けるラッチ受が設けられた方立と、を有する建具であって、前記方立の内部には、補強部材が設けられており、前記補強部材は、室内外方向に沿うように設けられ、前記方立に固定される固定部と、前記固定部の前記室内外方向における両側のうちの少なくとも一方から前記戸体側へ向かって延出する延出部と、を有することを特徴とする。【選択図】図３
2018025034.tif 000002
【特許請求の範囲】
【請求項１】
室内外を仕切る開口に備えられ、ラッチを有する開閉可能な戸体と、
前記ラッチを受けるラッチ受が設けられた方立と、を有する建具であって、
前記方立の内部には、補強部材が設けられており、
前記補強部材は、室内外方向に沿うように設けられ、前記方立に固定される固定部と、前記固定部の前記室内外方向における両側のうちの少なくとも一方から前記戸体側へ向かって延出する延出部と、を有することを特徴とする建具。
【請求項２】
請求項１に記載の建具であって、
前記補強部材は、前記固定部と、前記固定部の室外側端部から延出する第一延出部と、前記固定部の室内側端部から延出する第二延出部と、前記第一延出部と前記第二延出部との間に位置する開口部と、を備えることを特徴とする建具。
【請求項３】
請求項１又は請求項２に記載の建具であって、
前記固定部は、締結部材により該固定部の上端部と下端部の二箇所で前記方立に固定されていることを特徴とする建具。
【請求項４】
請求項１乃至請求項３のいずれかに記載の建具であって、
前記方立は、室内外方向に沿った第一部分及び第二部分を有し、該第一部分は該第二部分よりも左右方向において前記戸体から遠い側に位置し、
前記第一部分と前記第二部分との間には中空部が形成され、
前記補強部材が該中空部に収容された状態で前記固定部が前記第一部分に固定されており、
前記第一部分の前記戸体とは反対側の面を前記方立の外部から覆うように前記第一部分に固定された第二補強部材をさらに有することを特徴とする建具。
【請求項５】
請求項４に記載の建具であって、
前記固定部は、締結部材により該固定部の上下方向における複数固定箇所で前記方立に固定されており、
前記第二補強部材は、締結部材により該第二補強部材の上下方向における複数固定箇所で前記方立に固定されており、
前記第二補強部材の前記固定箇所の数は、前記固定部の前記固定箇所の数よりも多いことを特徴とする建具。
【請求項６】
請求項１乃至請求項５のいずれかに記載の建具であって、
前記方立は、前記戸体の戸先側に位置する戸先側方立であり、
前記方立とは異なる方立として、前記戸体の吊元側に位置する吊元側方立を備え、
前記吊元側方立の内部には、補強部材が設けられており、
前記補強部材は、室内外方向に沿うように設けられ、前記方立に固定されている固定部と、前記固定部の前記室内外方向における両側のうちの少なくとも一方から前記戸体側へ向かって延出する延出部と、を有することを特徴とする建具。
【発明の詳細な説明】
【技術分野】
【０００１】
本発明は、建具に関する。
【背景技術】
【０００２】
室内外を仕切る開口に備えられ、ラッチを有する開閉可能な戸体を備えた玄関ドア等の建具は、既によく知られている。このような建具の中には、ラッチを受けるラッチ受が設けられた方立が備えられているものがある。
【先行技術文献】
【特許文献】
【０００３】
【特許文献１】特開２０００−１２０３４０号公報
【発明の概要】
【発明が解決しようとする課題】
【０００４】
このような従来の建具においては、火災の際に戸体や方立が変形することにより、ラッチがラッチ受から外れる場合があった。そして、かかる場合には、戸体が開放してしまい、火炎の通り道が生ずる問題が発生していた。
【０００５】
本発明は、かかる課題に鑑みてなされたものであり、その目的とするところは、建具の防火性能を向上させることにある。
【課題を解決するための手段】
【０００６】
かかる目的を達成するために本発明の建具は、室内外を仕切る開口に備えられ、ラッチを有する開閉可能な戸体と、
前記ラッチを受けるラッチ受が設けられた方立と、を有する建具であって、
前記方立の内部には、補強部材が設けられており、
前記補強部材は、室内外方向に沿うように設けられ、前記方立に固定される固定部と、前記固定部の前記室内外方向における両側のうちの少なくとも一方から前記戸体側へ向かって延出する延出部と、を有することを特徴とする建具である。
【０００７】
このような建具によれば、火災が発生した際に、補強部材が戸体に近づくように反ることにより方立を戸体に近づくように反らせることができるので、ラッチがラッチ受から外れてしまうことを抑止することができる。したがって、戸体が開放し、開放した部分に火炎の通り道が生じてしまう問題を抑えることが可能となる。
【０００８】
かかる建具であって、
前記補強部材は、前記固定部と、前記固定部の室外側端部から延出する第一延出部と、前記固定部の室内側端部から延出する第二延出部と、前記第一延出部と前記第二延出部との間に位置する開口部と、を備えることが望ましい。
【０００９】
このような建具によれば、固定側とは反対側の断面性能が低くなるため、発生した力に対して耐える力が弱くなり反り量が大きくなる。そのため、ラッチがラッチ受から外れてしまうことをより適切に抑止することができる。したがって、戸体が開放し、開放した部分に火炎の通り道が生じてしまう問題をより適切に抑えることが可能となる。
【００１０】
かかる建具であって、
前記固定部は、締結部材により該固定部の上端部と下端部の二箇所で前記方立に固定されていることが望ましい。
【００１１】
このような建具によれば、方立の上下方向における中央部で方立を戸体に近づくように大きく反らせることが可能となる。そのため、戸体の上下方向における中央部に設けられているラッチが方立の上下方向における中央部に設けられているラッチ受から外れてしまうことをより適切に抑止することができる。したがって、戸体が開放し、開放した部分に火炎の通り道が生じてしまう問題をより適切に抑えることが可能となる。
【００１２】
かかる建具であって、
前記方立は、室内外方向に沿った第一部分及び第二部分を有し、該第一部分は該第二部分よりも左右方向において戸体から遠い側に位置し、
前記第一部分と前記第二部分との間には中空部が形成され、
前記補強部材が該中空部に収容された状態で前記固定部が前記第一部分に固定されており、
前記第一部分に前記方立の外部から固定された第二補強部材をさらに有することが望ましい。
【００１３】
このような建具によれば、第二補強部材が方立のねじれに抵抗して当該ねじれの発生を抑制する役割を果たす。そのため、ラッチがラッチ受から外れてしまうことを抑止することができる。したがって、戸体が開放し、開放した部分に火炎の通り道が生じてしまう問題を抑えることが可能となる。
【００１４】
かかる建具であって、
前記固定部は、締結部材により該固定部の上下方向における複数固定箇所で前記方立に固定されており、
前記第二補強部材は、締結部材により該第二補強部材の上下方向における複数固定箇所で前記方立に固定されており、
前記第二補強部材の前記固定箇所の数は、前記固定部の前記固定箇所の数よりも多いことが望ましい。
【００１５】
このような建具によれば、第二補強部材をしっかりと方立に固定することができ、第二補強部材が方立のねじれに抵抗して当該ねじれの発生を抑制する作用を適切に発揮させることができる。
【００１６】
かかる建具であって、
前記方立は、前記戸体の戸先側に位置する戸先側方立であり、
前記方立とは異なる方立として、前記戸体の吊元側に位置する吊元側方立を備え、
前記吊元側方立の内部には、補強部材が設けられており、
前記補強部材は、室内外方向に沿うように設けられ、前記方立に固定されている固定部と、前記固定部の前記室内外方向における両側のうちの少なくとも一方から前記戸体側へ向かって延出する延出部と、を有することが望ましい。
【００１７】
このような建具によれば、当該補強部材が吊元側方立を戸体に近づく方向に反らせることとなるため、反った吊元側方立により戸体が押されることとなる。そうすると、戸体は戸先側方立に近づく方向に変形することとなるため、戸体のラッチが戸先側方立のラッチ受に近づくこととなり、ラッチがラッチ受から外れてしまうことを抑止することができる。したがって、戸体が開放し、開放した部分に火炎の通り道が生じてしまう問題を抑えることが可能となる。
【発明の効果】
【００１８】
本発明によれば、建具の防火性能を向上させることが可能となる。
【図面の簡単な説明】
【００１９】
【図１】玄関ドア１０の正面図である。
【図２】玄関ドア１０の横断面図である。
【図３】第一補強部材４０及び第二補強部材５０を示した横断面図である。
【図４】火災が発生したときの従来例に係る玄関ドア１０の様子を示した図である。
【図５】第一補強部材４０及び第二補強部材５０の固定箇所を示した図である。
【図６】火災が発生したときに方立２０が沿った様子を示した図である。
【図７】固定部４１及び延出部を有する第一補強部材４０が、火災の際に扉３０に近づくように反る理由を説明するための説明模式図である。
【図８】第一補強部材４０の形状のバリエーションを説明するための説明模式図である。
【発明を実施するための形態】
【００２０】
本実施の形態に係る建具の一例としての玄関ドア１０について、図１乃至図８を用いて説明する。なお、図５においては、第一補強部材４０、第二補強部材５０、及び、ネジのみを表し、方立２０の記載を省略している。
【００２１】
以下の説明においては、建物等に取り付けられた状態の玄関ドア１０を室内側から見たときに、上下となる方向を上下方向、左右となる方向を左右方向、室内外方向である奥行き方向を見込み方向として示す。玄関ドア１０の各部位であっても、また、玄関ドア１０を構成する各部材については単体の状態であっても、建物等に取り付けられた状態にて上下方向、左右方向、見込み方向となる方向にて方向を特定して説明する。
【００２２】
本実施の形態に係る玄関ドア１０は、所謂両袖ＦＩＸ枠を備える玄関ドアである。すなわち、玄関ドア１０は、上枠１２と下枠１４と二つの縦枠１６を備える枠体と、左右方向において二つの縦枠１６の間に互いに間隔を隔てて設けられた二つの方立２０と、を有している。上枠１２と下枠１４は、左右方向に延びた長尺状の部材であり、縦枠１６と方立２０は上下方向に延びた長尺状の部材である。
【００２３】
そして、縦枠１６と方立２０との間には、採光のためにガラス１８が設けられ、二つの方立２０の間には、戸体の一例としての扉３０が設けられている。なお、扉３０は開閉可能に開口に取り付けられている一方で、ガラス１８は開閉不可能に開口に取り付けられている。
【００２４】
また、扉３０には、ラッチ３２が設けられ、方立２０には、ラッチ受２２が設けられている。そして、扉３０が閉じた際には、ラッチ３２がラッチ受２２内に進入し、扉３０の開放が抑止される。一方で、扉３０を開ける際には、不図示のハンドルを操作して、ラッチ３２をラッチ受２２から退出させることにより、扉３０を開放させることができるようになっている。なお、以下では、２つある方立２０のうち扉３０の戸先側（右側）に位置する方立２０を戸先側方立２０ａとし、扉３０の吊元側（左側）に位置する方立２０を吊元側方立２０ｂとする。
【００２５】
扉３０が閉じた際には、扉３０の左右方向における右端面（面外方向が左右方向に沿う面。以下、扉対向面３０ａと呼ぶ）と、方立２０（戸先側方立２０ａ）の左右方向における左端面（面外方向が左右方向に沿う面。以下、方立対向面２０ｃと呼ぶ）とが対向する。そして、扉対向面３０ａにラッチ３２が、方立対向面２０ｃにラッチ受２２が備えられており、扉３０が閉じた際にラッチ３２とラッチ受２２が対向するようになっている。
【００２６】
ラッチ３２は、ラッチ受２２と協働して、扉３０が閉じた際に扉３０が開放しないようにする役割を果たす。ラッチ３２は、金属製の部材であり、扉対向面３０ａの上下方向における略中央に設けられている。ラッチ３２は、横断面において、略三角形状を有している。
【００２７】
そして、本実施の形態に係るラッチ３２は、前記ハンドルの動きに連動して、扉対向面３０ａの面外方向に移動可能となっている。すなわち、ラッチ３２は、ハンドルの操作がされないときには、扉３０が開いているか閉じているかに関わらず、不図示の付勢機構により扉対向面３０ａから突出した（露出した）状態となっている。そして、この状態でハンドルが操作されると、ラッチ３２は、前記扉対向面３０ａの面外方向に（扉が閉じている際には左右方向）に移動して、ラッチの係合が解除される。
【００２８】
ラッチ受２２は、ラッチ３２と協働して、扉３０が閉じた際に扉３０が開放しないようにする役割を果たす。ラッチ受２２は、金属製の部材であり、方立対向面２０ｃの上下方向における略中央に設けられている。ラッチ受２２は、フロント部材２３と裏板部材２４とを有している。
【００２９】
フロント部材２３は、ラッチ受２２のうち方立対向面２０ｃを覆うように当該方立対向面２０ｃに方立２０（戸先側方立２０ａ）の外側から取り付けられている部分である。一方、裏板部材２４は、方立２０（戸先側方立２０ａ）の内部（具体的には、後述する室外側中空部２１ａ）に設けられており、横断面において（図３において）略矩形状を有しラッチ３２を収容するための収容空間Ｓを形成している。
【００３０】
そして、扉３０が閉じているときには、図３に示すように、ラッチ３２は、扉対向面３０ａから突出し、ラッチ受２２の収容空間Ｓに収容されている。かかる状態においては、扉３０が室外側へ移動しようとしても、ラッチ３２がラッチ受２２に引っ掛かって、扉３０が開かないようになっている。
【００３１】
また、本実施の形態に係る方立２０（戸先側方立２０ａ）には、玄関ドア１０の防火性能を向上させるための仕組みが施されている。すなわち、第一補強部材４０（補強部材に相当）と第二補強部材５０が、方立２０（戸先側方立２０ａ）に取り付けられている。
【００３２】
以下では、先ず、火災が発生したときに従来の玄関ドア１０に生ずる問題点について説明する。そして、かかる説明に引き続いて、対策部品の構成について説明し当該対策部品により前記問題点がどのように解決されるかについて述べる。
【００３３】
従来の玄関ドア１０においては、火災の際に扉３０や方立２０が変形することにより、ラッチ３２がラッチ受２２から外れる場合があった。そして、かかる場合には、扉３０が開放してしまい、火炎の通り道が生ずる問題が発生していた。
【００３４】
当該問題について、一例を挙げて、図４を用いて説明する。図４は、火災が発生したときの従来例に係る玄関ドア１０の様子を示した図である。なお、図４は、扉３０及び方立２０の上下方向における中央部での様子を示したものである。
【００３５】
火災が発生していない状態においては、扉３０が閉じており、ラッチ３２は、ラッチ受２２の収容空間Ｓに正常に収容されている（従来例ではないが、図２参照）。
【００３６】
かかる状態において、室外側で火災が発生すると、扉３０が火炎により熱せられる。この場合には、扉３０の室外側は室内側よりも高温となり、室外側の扉３０の伸びが室内側と比べて顕著となることから、扉３０は室外側でより大きく変形する。そして、方立２０も、扉３０と同様、室外側でより高温となり上下方向の伸びを枠体により阻害されるため、室外側に反るような伸び方をする。つまり、方立２０の上下方向における中央部は、図４に示すように変形する。方立２０は、ねじれると共に、当該中央部において扉３０から離れるように、反ることとなる（なお、方立２０の上端部及び下端部については、上枠１２及び下枠１４に固定されているため、図４のようには変形しない）。
【００３７】
そうすると、図４に示すように、ラッチ３２がラッチ受２２から外れてしまう可能性がある。そして、かかる場合には、扉３０が開放し、開放した部分に火炎の通り道が生じてしまう問題が発生する。
【００３８】
なお、当該問題は、袖ＦＩＸ枠を備える玄関ドア１０のようにラッチ受２２が方立２０に設けられている建具に特有の課題となっている。すなわち、通常の玄関ドアのようにラッチ受２２が縦枠に設けられている場合には、縦枠は、躯体に対し強固に固定されているため、火災の際に上述した事象は起こりにくい。これに対し、ラッチ受２２が方立２０に設けられている建具においては、方立２０（扉）の上下端が枠体に固定されているのみなので、火災の際に上述した事象が顕著に発生する。
【００３９】
かかる問題に対処するため、本実施の形態に係る方立２０には、図３に示すように、第一補強部材４０と第二補強部材５０が設けられている。
【００４０】
方立２０は、横断面において（図３において）略矩形状を有する中空の部材である。すなわち、方立２０は、左右方向に沿い後述する室内側部２６よりも扉開放側（室外側）に位置する室外側部２５と、左右方向に沿い室外側部２５よりも扉開放側とは逆側（室内側）に位置する室内側部２６と、見込み方向に沿い後述するガラス側部２８よりも扉３０側に位置する扉側部２７（第二部分に相当）と、見込み方向に沿い扉側部２７よりもガラス１８側（扉３０から遠い側）に位置するガラス側部２８（第一部分に相当）と、を備えており、室外側部２５、室内側部２６、扉側部２７、ガラス側部２８に囲まれることにより中空部２１が形成されている。なお、本実施の形態においては、二つの仕切り部２９（室外側仕切り部２９ａ及び室内側仕切り部２９ｂと呼ぶ）により中空部２１が仕切られることにより、中空部２１が３つに分かれている（室外側中空部２１ａ、中央中空部２１ｂ、室内側中央部２１ｃと呼ぶ）。
【００４１】
そして、第一補強部材４０は、方立２０の内部、つまり、中空部２１（具体的には、室外側中空部２１ａ）に設けられている。
【００４２】
第一補強部材４０は、横断面においてコの字形状を有し、方立２０に固定されている金属製の部材である。すなわち、第一補強部材４０は、見込み方向に沿うように設けられ、方立２０に固定されている固定部４１と、当該固定部４１における両端部のうちの少なくとも一方（本実施の形態においては、両方）から扉３０側へ向かって延出する延出部と、を有している。すなわち、第一補強部材４０は、固定部４１と、固定部４１の室外側端部から延出する室外側延出部４２（第一延出部に相当）と、固定部４１の室内側端部から延出する室内側延出部４３（第二延出部に相当）と、室外側延出部４２と室内側延出部４３の間に位置する開口部４４（第一補強部材４０が連結していない部分）と、を備えている。
【００４３】
そして、第一補強部材４０は、固定部４１、室外側延出部４２、室内側延出部４３がそれぞれガラス側部２８、室外側部２５、室外側仕切り部２９ａと平行になるように、中空部２１（室外側中空部２１ａ）に収容されている。また、室外側延出部４２（室内側延出部４３）の延出端は、扉側部２７との間に僅かな隙間を隔てる位置まで至っている。
【００４４】
また、第一補強部材４０（固定部４１、室外側延出部４２、室内側延出部４３）は、上下方向に延びた長尺状の部材であり、方立２０の上端部から下端部に亘って連続して設けられている。そして、固定部４１は、締結部材の一例としてのネジ（便宜上、第一補強部材４０用のネジを第一ネジ８０と呼ぶ）により該固定部４１の上下方向における複数固定箇所（具体的には、二箇所のみ）で方立２０のガラス側部２８に固定されている。具体的には、固定部４１の上下方向における上端部及び下端部が、方立２０（ガラス側部２８）の上下方向における上端部及び下端部にそれぞれ第一ネジ８０で固定されている（図５参照）。なお、図５には、第一ネジ８０が後述する第二補強部材５０に掛かった状態が表されているが、実際には、第一ネジ８０の頭部が該頭部よりも一回り大きい第二補強部材５０の穴部に収容された状態となっているだけであり、第一ネジ８０は第二補強部材５０とは係合（接触）していない。
【００４５】
そして、第一補強部材４０は、火災が発生した際に、以下のように作用して、前述した問題を解決する。すなわち、火災の際に、第一補強部材４０は、前述した固定部４１及び延出部を備えることに起因して、扉３０に近づくように反ることとなる（理由については、後述する）。そして、当該第一補強部材４０の反りに応じて、方立２０も同様に扉３０に近づくように反ることとなる（図６参照）。
【００４６】
前述したとおり、第一補強部材４０が存在しない従来例においては、火災の際に、方立２０が扉３０から離れるように反り、このことによりラッチ３２がラッチ受２２から外れてしまう可能性があった。これに対し、本実施の形態においては、これとは反対方向に方立２０を反らせることにより、ラッチ３２がラッチ受２２から外れてしまうことを抑止することができる。したがって、扉３０が開放し、開放した部分に火炎の通り道が生じてしまう問題を抑えることが可能となる。
【００４７】
次に、固定部４１及び延出部を有する第一補強部材４０が、火災の際に扉３０に近づくように反る理由について、図７を用いて説明する。火災の際には第一補強部材４０が熱を受けて熱伸びするが、仮に第一補強部材４０が固定されていない場合には、伸びを拘束するものが存在しないため、第一補強部材４０は反ることなく黒矢印の方に伸びる（左図参照）。
【００４８】
しかしながら、第一補強部材４０は方立２０に固定されているため、第一補強部材４０のガラス側においては、自由に伸びることができない（右図の×付き黒矢印参照）。つまり、固定箇所（右図の黒丸参照）の内側は外に広がることができないため、内側に力がかかる（右図の黒矢印参照）。そうすると、扉側は自由に伸びようとするがガラス側は自由に伸びることができないので、扉側はガラス側に引っ張られてしまい、第一補強部材４０は、扉３０に近づくように反ることとなる（右図の白矢印参照）。
【００４９】
このように、本実施の形態に係る玄関ドア１０（建具）は、室内外を仕切る開口に備えられ、ラッチ３２を有する開閉可能な扉３０と、ラッチ３２を受けるラッチ受２２が設けられた方立２０と、を有し、方立２０の内部には、第一補強部材４０が設けられており、第一補強部材４０は、室内外方向に沿うように設けられ、方立２０に固定される固定部４１と、固定部４１の室内外方向における両側のうちの少なくとも一方から扉３０側へ向かって延出する延出部と、を有することとした。そのため、前述したとおり、火災が発生した際に、第一補強部材４０が、扉３０に近づくように反ることにより、方立２０を扉３０に近づくように反らせることができるので、ラッチ３２がラッチ受２２から外れてしまうことを抑止することができる。したがって、扉３０が開放し、開放した部分に火炎の通り道が生じてしまう問題を抑えることが可能となる。
【００５０】
なお、本実施の形態においては、扉３０側へ向かって延出する延出部が、固定部４１の室内外方向における両端部の双方から延出していることとした。つまり、第一補強部材４０は、固定部４１と、固定部４１の室外側端部から延出する室外側延出部４２と、固定部４１の室内側端部から延出する室内側延出部４３と、を備えたコの字形状（厳密なコの字形を必須とするものではない）の部材であることとした。
【００５１】
しかしながら、これに限定されるものではなく、延出部が、固定部４１の室内外方向における両端部のうちの一方のみから延出していることとしてもよい。つまり、第一補強部材４０は、図８に示すように、固定部４１と、固定部４１の室内外方向における両端部のうちの一方のみから延出する延出部と、を備えたＬ字形状（厳密なＬ字形を必須とするものではない）の部材であることとしてもよい。
【００５２】
また、横断面において、第一補強部材４０に必ずしも開口部４４が存在する必要は無い。すなわち、図８に示すように、固定部４１と、固定部４１の室外側端部から延出する室外側延出部４２と、固定部４１の室内側端部から延出する室内側延出部４３と、室外側延出部４２の延出端部と室内側延出部４３の延出端部を連結する連結部と、を備えた中空矩形状（厳密な中空矩形を必須とするものではない）の部材であってもよい。
【００５３】
ただし、コの字形状の例とＬ字形状の例は、中空矩形状の例と比べて、固定側（つまり、ガラス側）とは反対側（熱による反りが発生する方向）の断面性能が低くなるため、発生した力に対して耐える力が弱くなり反り量が大きくなる（図８の白矢印参照）。そのため、ラッチ３２がラッチ受２２から外れてしまうことをより適切に抑止することができる。したがって、扉３０が開放し、開放した部分に火炎の通り道が生じてしまう問題をより適切に抑えることが可能となる。この点で、コの字形状の例やＬ字形状の例の方がより望ましい。
【００５４】
また、上述したとおり、固定部４１は、第一ネジ８０により該固定部４１の上下方向における上端部と下端部の二箇所で方立２０に固定されていることとしたため、方立２０の上下方向における中央部で方立２０を扉３０に近づくように大きく反らせることが可能となる。そのため、扉３０の上下方向における中央部に設けられているラッチ３２が方立２０の上下方向における中央部に設けられているラッチ受２２から外れてしまうことをより適切に抑止することができる。したがって、扉３０が開放し、開放した部分に火炎の通り道が生じてしまう問題をより適切に抑えることが可能となる。
【００５５】
上記においては、第一補強部材４０について説明したが、次に、第二補強部材５０について説明する。第二補強部材５０は、第一補強部材４０とは異なり、方立２０の外部に設けられている。
【００５６】
第二補強部材５０は、図３に示すように、横断面においてＬ字形状を有し、ガラス側部２８に方立２０の外部から固定されている金属製の部材である。すなわち、第二補強部材５０は、見込み方向に沿うように設けられ、方立２０に固定されている固定部５１と、当該固定部５１の室外側端部から延出する室外側延出部５２と、を備えている。
【００５７】
また、第二補強部材５０（固定部５１、室外側延出部５２）は、上下方向に延びた長尺状の部材であり、方立２０の上端部から下端部に亘って連続して設けられている。そして、固定部５１は、締結部材の一例としてのネジ（便宜上、第二補強部材５０用のネジを第二ネジ８２と呼ぶ）により該固定部５１の上下方向における複数固定箇所（具体的には、五箇所）で方立２０のガラス側部２８に固定されている（図５参照）。
【００５８】
そして、第二補強部材５０は、火災が発生した際に、以下のように作用して、前述した問題を解決する。すなわち、前述したとおり、従来例においては、方立２０がねじれると共に中央部において扉３０から離れるように反り、このことによりラッチ３２がラッチ受２２から外れてしまう可能性があった。
【００５９】
これに対し、本実施の形態においては、第一補強部材４０が方立２０を反対方向に反らせると共に、第二補強部材５０がねじれに抵抗して当該ねじれの発生を抑制する役割を果たす。そのため、ラッチ３２がラッチ受２２から外れてしまうことを抑止することができる。したがって、扉３０が開放し、開放した部分に火炎の通り道が生じてしまう問題を抑えることが可能となる。
【００６０】
また、本実施の形態においては、第一補強部材４０（固定部４１）は、第一ネジ８０により該第一補強部材４０（固定部４１）の上下方向における複数固定箇所で方立２０に固定されており、第二補強部材５０（固定部５１）は、第二ネジ８２により第二補強部材５０（固定部５１）の上下方向における複数固定箇所で方立２０に固定されており、第二補強部材５０（固定部５１）の固定箇所の数（五箇所）は、第一補強部材４０（固定部４１）の固定箇所の数（二箇所）よりも多くなっている。このことにより、第二補強部材５０をしっかりと方立２０に固定することができ、第二補強部材５０がねじれに抵抗して当該ねじれの発生を抑制する作用を適切に発揮させることができる。
【００６１】
なお、上記においては、２つの方立２０のうち戸先側方立２０ａに補強部材（第一補強部材４０及び第二補強部材５０）が設けられている点について説明したが、本実施の形態においては、吊元側方立２０ｂの方にも同様の補強部材（第一補強部材４０及び第二補強部材５０）が同様の位置に備えられている。特に、第一補強部材４０が、室内外方向に沿うように設けられ方立２０に固定されている固定部４１と、固定部４１の室内外方向における両側のうちの少なくとも一方から扉３０側へ向かって延出する延出部とを有することから、以下の作用効果が生ずる。
【００６２】
すなわち、第一補強部材４０が吊元側方立２０ｂを扉３０に近づく方向に反らせることとなるため、反った吊元側方立２０ｂにより扉３０が押されることとなる。そうすると、扉３０は戸先側方立２０ａに近づく方向に変形することとなるため、扉３０のラッチ３２が戸先側方立２０ａのラッチ受２２に近づくこととなり、ラッチ３２がラッチ受２２から外れてしまうことを抑止することができる。したがって、扉３０が開放し、開放した部分に火炎の通り道が生じてしまう問題を抑えることが可能となる。
【００６３】
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００６４】
上記実施の形態においては、建具として、両袖ＦＩＸ枠を備える玄関ドアを例に挙げて説明したが、これに限定されるものではない。例えば、片袖ＦＩＸ枠を備える玄関ドアであってもよい。また、建具は、玄関ドア以外の建具であってもよい。すなわち、ラッチを有する開閉可能な戸体と、該戸体が閉じた際に前記ラッチを受けるラッチ受が設けられた方立と、を有する建具であれば、どのようなものにも本発明を適用できる。
【００６５】
また、上記実施の形態においては、戸体として扉３０を例に挙げて説明したが、これに限定されるものではない。例えば、窓であってもよい。
【符号の説明】
【００６６】
１０  玄関ドア
１２  上枠、１４  下枠、１６  縦枠
１８  ガラス、２０  方立
２０ａ  戸先側方立、２０ｂ  吊元側方立、２０ｃ  方立対向面
２１  中空部
２１ａ  室外側中空部、２１ｂ  中央中空部、２１ｃ  室内側中央部
２２  ラッチ受、２３  フロント部材、２４  裏板部材
２５  室外側部、２６  室内側部、２７  扉側部、２８  ガラス側部
２９  仕切り部、２９ａ  室外側仕切り部、２９ｂ  室内側仕切り部
３０  扉、３０ａ  扉対向面
３２  ラッチ
４０  第一補強部材
４１  固定部、４２  室外側延出部、４３  室内側延出部、４４  開口部
５０  第二補強部材、５１  固定部、５２  室外側延出部
８０  第一ネジ、８２  第二ネジ
Ｓ  収容空間
【図１】
2018025034.tif 000003
【図２】
2018025034.tif 000004
【図３】
2018025034.tif 000005
【図４】
2018025034.tif 000006
【図５】
2018025034.tif 000007
【図６】
2018025034.tif 000008
【図７】
2018025034.tif 000009
【図８】
2018025034.tif 000010